(57)【要約】【課題】受圧板における磨耗劣化の発生を少なくできるプレス加工装置を提供する。【解決手段】本発明は、パンチ３の基端側を受圧板５の受圧面５１で支持した状態で、パンチ３の先端部３１をワークＷに押圧させるプレス加工装置を対象とする。受圧板５の受圧面５１に、パンチ支持台部６が突出するように形成されるとともに、そのパンチ支持台部６に、パンチ３の基端面３２に接触するパンチ支持面６１が設けられる。パンチ支持面６１の大きさが、パンチ３の基端面３２の大きさ以下に設定される。【選択図】図３
2011251343.tif 000002
【特許請求の範囲】
【請求項１】
パンチの基端側を受圧板の受圧面で支持した状態で、パンチの先端部をワークに押圧させるプレス加工装置であって、
受圧板の受圧面に、パンチの基端面に接触するパンチ支持面が設けられ、
受圧板がその受圧面を頂上とする円錐台形状に形成されることを特徴とするプレス加工装置。
【請求項２】
受圧板の外周面における軸心に対する傾斜角度が２０〜７０°に設定される請求項１に記載のプレス加工装置。
【請求項３】
受圧板の受圧面に、パンチ支持台部が突出するように形成されるとともに、そのパンチ支持台部に、前記パンチ支持面が設けられる請求項１または２に記載のプレス加工装置。
【請求項４】
受圧板が、複数に分割されるとともに、その複数の分割体の一つが、受圧板のパンチ支持台部を含む部分によって構成される請求項３に記載のプレス加工装置。
【請求項５】
パンチ支持台部におけるパンチ支持面の外側に面取り部が形成される請求項３または４に記載のプレス加工装置。
【請求項６】
パンチにおける基端面と外周面との間に面取り部が形成される請求項１〜５のいずれか１項に記載のプレス加工装置。
【請求項７】
パンチおよび受圧板を保持するパンチホルダーを備え、
パンチホルダーにおける受圧板を保持するための保持孔の内周面が受圧板の外周形状に倣って形成され、
受圧板の外周面の一部に、パンチの軸心方向に平行な外周平行面が設けられるとともに、その外周平行面に対応して、パンチホルダーにおける保持孔の内周面に、軸心方向に平行な内周平行面が設けられ、
外周平行面が内周平行面に軸心方向に沿って嵌合された状態で、受圧板がパンチホルダーの保持孔に収容される請求項１〜６のいずれか１項に記載のプレス加工装置。
【請求項８】
パンチを軸心方向に沿って収容する筒状のパンチケースと、
パンチケースおよび受圧板を保持するパンチホルダーと、を備える請求項１〜７のいずれか１項に記載のプレス加工装置。
【請求項９】
請求項１〜８のいずれか１項に記載のプレス加工装置を用いて、ワークをプレス加工して、成形加工品を製造することを特徴とするプレス加工方法。
【発明の詳細な説明】
【技術分野】
【０００１】
この発明は、パンチをワークに押圧するプレス加工装置およびその関連技術に関する。
【背景技術】
【０００２】
ワークにパンチを打ち込んで鍛造加工するようにした鍛造加工装置が特許文献１等に開示されている。
【０００３】
このような鍛造加工装置においては、上下方向に沿って配置されたパンチの上端に受圧板が設けられ、この受圧板によりパンチ上端面を支持した状態でパンチを降下させてワークに打ち込むようにしたものが周知である。
【先行技術文献】
【特許文献】
【０００４】
【特許文献１】特開平９−５７３８６号（請求の範囲、第３−５図）
【発明の概要】
【発明が解決しようとする課題】
【０００５】
上記鍛造加工装置においては、パンチ打ち込み時の衝撃荷重をパンチを介して受圧板により受け止めるようにしているが、この衝撃荷重は受圧板に繰り返し作用するため、受圧板のパンチ支持部に、磨耗による劣化凹部が形成される。この劣化凹部が大きくなると、受圧板によってパンチを安定状態に支持できず、加工精度が低下するため、受圧板を交換する必要がある。
【０００６】
しかしながら、従来の鍛造加工装置は、受圧板の磨耗劣化が短期間で生じ易く、受圧板の交換頻度が多くなり、生産性の低下やコストの増大を招いていた。
【０００７】
この発明は、上記従来技術の問題を解消し、受圧板における磨耗劣化の発生を少なくすることができる鍛造加工装置等のプレス加工装置およびその関連技術に関する。
【課題を解決するための手段】
【０００８】
上記目的を達成するため、本発明は以下の構成を要旨とするものである。
【０００９】
［１］  パンチの基端側を受圧板の受圧面で支持した状態で、パンチの先端部をワークに押圧させるプレス加工装置であって、
受圧板の受圧面に、パンチ支持台部が突出するように形成されるとともに、そのパンチ支持台部に、パンチの基端面に接触するパンチ支持面が設けられ、
パンチ支持面の大きさが、パンチの基端面の大きさ以下に設定されたことを特徴とするプレス加工装置。
【００１０】
［２］  パンチ基端面の外周縁が、受圧板に対し非接触状態に配置される前項１に記載のプレス加工装置。
【００１１】
［３］  パンチ支持面の外周縁がパンチ基端面の外周縁に対し０．１〜０．３ｍｍ内側に配置される前項１または２に記載のプレス加工装置。
【００１２】
［４］  パンチ支持面の面積がパンチ基端面の面積に対し０．１〜０．５％小さく形成される前項１〜３のいずれか１項に記載のプレス加工装置。
【００１３】
［５］  パンチ支持台部の高さが、０．１〜１．５ｍｍに設定される前項１〜４のいずれか１項に記載のプレス加工装置。
【００１４】
［６］  受圧板がその受圧面を頂上とする円錐台形状に形成される前項１〜５のいずれか１項に記載のプレス加工装置。
【００１５】
［７］  受圧板の外周面における軸心に対する傾斜角度が２０〜７０°に設定される前項６に記載のプレス加工装置。
【００１６】
［８］  受圧板が、複数に分割されるとともに、その複数の分割体の一つが、受圧板のパンチ支持台部を含む部分によって構成される前項１〜７のいずれか１項に記載のプレス加工装置。
【００１７】
［９］  パンチ支持台部にけるパンチ支持面の外側に面取り部が形成される前項１〜８のいずれか１項に記載のプレス加工装置。
【００１８】
［１０］  パンチにおける基端面と外周面との間に面取り部が形成される前項１〜９のいずれか１項に記載のプレス加工装置。
【００１９】
［１１］  パンチおよび受圧板を保持するパンチホルダーを備え、
受圧板がその受圧面を頂上とする円錐台形状に形成されるとともに、
パンチホルダーにおける受圧板を保持するための保持孔の内周面が受圧板の外周形状に倣って形成され、
受圧板の外周面の一部に、パンチの軸心方向に平行な外周平行面が設けられるとともに、その外周平行面に対応して、パンチホルダーにおける保持孔の内周面に、軸心方向に平行な内周平行面が設けられ、
外周平行面が内周平行面に軸心方向に沿って嵌合された状態で、受圧板がパンチホルダーの保持孔に収容される前項１〜１０のいずれか１項に記載のプレス加工装置。
【００２０】
［１２］  受圧板の外周面における受圧面側に、周方向に沿って連続する凹段部が形成されるとともに、その凹段部の一面によって外周平行面が構成され、
凹段部に対応して、パンチホルダーにおける保持孔の内周面に、周方向に沿って連続する凸段部が形成されるとともに、その凸段部の一面によって内周平行面が構成される前項１１に記載のプレス加工装置。
【００２１】
［１３］  受圧板の外周面と、パンチホルダーの保持孔内周面との間に隙間が設けられる前項１１または１２に記載のプレス加工装置。
【００２２】
［１４］  外周平行面と内周平行面との間の隙間寸法が、パンチ支持面の外周縁とパンチ基端面の外周縁との間の距離よりも小さく設定される前項１１〜１３のいずれか１項に記載のプレス加工装置。
【００２３】
［１５］  外周平行面と内周平行面との間の隙間寸法が、０．１〜０．５ｍｍに設定される前項１１〜１４のいずれか１項に記載のプレス加工装置。
【００２４】
［１６］  パンチを軸心方向に沿って収容する筒状のパンチケースと、
パンチケースおよび受圧板を保持するパンチホルダーと、を備える前項１〜１５のいずれか１項に記載のプレス加工装置。
【００２５】
［１７］  パンチの基端面がパンチケースの基端面よりもパンチ先端側に配置され、
パンチケースの基端面が、受圧板の受圧面におけるパンチ支持台部の外側に接触状態に配置される前項１６に記載のプレス加工装置。
【００２６】
［１８］  前項１〜１７のいずれか１項に記載のプレス加工装置を用いて、ワークをプレス加工することを特徴とするプレス加工方法。
【００２７】
［１９］  パンチの基端側を受圧板の受圧面で支持した状態で、パンチの先端部を、ダイにセットされたワークに押圧させるダイセットであって、
受圧板の受圧面に、パンチ支持台部が突出するように形成されるとともに、そのパンチ支持台部に、パンチの基端面に接触するパンチ支持面が設けられ、
パンチ支持面の大きさが、パンチの基端面の大きさ以下に設定されたことを特徴とするダイセット。
【００２８】
［２０］  パンチの基端側を受圧板の受圧面で支持した状態で、パンチの先端部をワークに押圧させて鍛造加工する鍛造加工装置であって、
受圧板の受圧面に、パンチ支持台部が突出するように形成されるとともに、そのパンチ支持台部に、パンチの基端面に接触するパンチ支持面が設けられ、
パンチ支持面の大きさが、パンチの基端面の大きさ以下に設定されたことを特徴とする鍛造加工装置。
【００２９】
［２１］  上下方向に沿って配置されるパンチの上端側を受圧板の下面で支持した状態で、パンチの下端部をワークに押圧させるプレス加工用上金型であって、
受圧板の下面に、パンチ支持台部が突出するように形成されるとともに、そのパンチ支持台部に、パンチの上端面に接触するパンチ支持面が設けられ、
パンチ支持面の大きさが、パンチの上端面の大きさ以下に設定されたことを特徴とするプレス加工用上金型。
【００３０】
［２２］  パンチの基端側を支持する受圧面を有し、その受圧面でパンチを支持した状態で、パンチの先端部をワークに押圧させるプレス加工用受圧板であって、
受圧面に、パンチ支持台部が突出するように形成されるとともに、そのパンチ支持台部に、パンチの基端面に接触するパンチ支持面が設けられ、
パンチ支持面の大きさが、パンチの基端面の大きさ以下に設定されたことを特徴とするプレス加工用受圧板。
【発明の効果】
【００３１】
発明［１］のプレス加工装置によれば、受圧板に形成したパンチ支持面を、パンチ基端面の大きさ以下に設定しているため、プレス加工時の衝撃荷重が、受圧板側ではなく、パンチ側に集中する。このため、パンチ基端面側に磨耗劣化が生じるようになって、受圧板側に磨耗劣化が生じるのを減少させることができる。
【００３２】
なおパンチはその先端部（押圧加工部）が早期に磨耗劣化するため、このパンチ先端部の磨耗がパンチ交換要因となる。従って本発明によるパンチ基端面の磨耗がパンチ交換要因となることはなく、パンチ基端面の磨耗によって不具合が生じることはない。
【００３３】
発明［２］〜［５］のプレス加工装置によれば、上記の効果をより確実に得ることができる。
【００３４】
発明［６］のプレス加工装置によれば、プレス加工時の衝撃が、円錐台形状の受圧板に沿って次第に広がりながら伝播していくため、衝撃荷重を広範囲に分散させることができ、衝撃荷重の局部集中による不具合を防止できる。
【００３５】
発明［７］のプレス加工装置によれば、衝撃荷重の分散をより確実に行うことができる。
【００３６】
発明［８］のプレス加工装置によれば、受圧板のパンチ支持台部に磨耗劣化が生じた際には、パンチ支持台部を含む部分だけを交換できて、交換部位を少なくすることができる。
【００３７】
発明［９］［１０］のプレス加工装置によれば、磨耗劣化の発生を確実に減少させることができる。
【００３８】
発明［１１］〜［１５］のプレス加工装置によれば、受圧板の外周平行面が、パンチホルダーの内周平行に位置規制されることによって、受圧板のパンチホルダーに対する位置合わせ（センタリング）を精度良く行うことができる。
【００３９】
発明［１６］［１７］のプレス加工装置によれば、パンチがパンチケースによって拘束されることにより、パンチの振れを防止できて、加工精度および製品品質を一層向上させることができる。
【００４０】
発明［１８］によれば、上記と同様の作用効果を有するプレス加工方法を提供することができる。
【００４１】
発明［１９］によれば、上記と同様の作用効果を有するダイセットを提供することができる。
【００４２】
発明［２０］によれば、上記と同様の作用効果を有する鍛造加工装置を提供することができる。
【００４３】
発明［２１］によれば、上記と同様の作用効果を有するプレス加工用上金型を提供することができる。
【００４４】
発明［２２］によれば、上記と同様の作用効果を有するプレス加工用受圧板を提供することができる。
【図面の簡単な説明】
【００４５】
【図１】この発明の実施形態の鍛造加工装置を示す正面図である。
【図２】この発明の実施形態の鍛造加工装置のダイセット周辺を示す断面図である。
【図３】実施形態における鍛造加工装置の上金型を示す断面図である。
【図４】実施形態における上金型の要部を拡大して示す断面図である。
【図５】実施形態の上金型におけるパンチを示す側面図である。
【図６】実施形態の上金型におけるパンチケースを示す断面図である。
【図７】実施形態の上金型におけるパンチケースをパンチ収容状態で示す断面図である。
【図８】実施形態の上金型における受圧板の第１分割体を裏返した状態で示す斜視図である。
【図９】実施形態の受圧板における第１分割体を示す下面図である。
【図１０】実施形態の受圧板における第１分割体を示す断面図である。
【図１１】実施形態の受圧板における第２分割体を示す断面図である。
【図１２】実施形態の上金型におけるパンチホルダーを示す断面図である。
【図１３】実施形態の上金型における受圧板およびパンチの接触部周辺をその特徴部を誇張して示す概略断面図である。
【図１４】本発明の要旨を逸脱する上金型における受圧板およびパンチの接触部周辺をその欠点部を誇張して示す概略断面図である。
【図１５】実施形態の鍛造加工装置により生産される鍛造加工品を示す平面図である。
【図１６】実施形態の鍛造加工装置により生産される鍛造加工品を示す断面図である。
【図１７】この発明の変形例である鍛造加工装置の上金型を示す断面図である。
【発明を実施するための形態】
【００４６】
図１，２はこの発明の実施形態である鍛造加工装置（１）を示す図である。同図に示すように、この鍛造加工装置（１）は、固定側金型としての下金型（１１）と、可動側金型としての上金型（１５）と、を備えている。
【００４７】
下金型（１１）には、ダイ（２）が設けられている。ダイ（２）には、軸心が鉛直方向に沿って配置されるダイ孔（２５）が設けられ、このダイ孔（２５）内には、鍛造用素材（被加工材）としてのワーク（Ｗ）をセットできるようになっている。
【００４８】
ダイ孔（２５）内には、軸心をダイ孔（２５）の軸心に一致させた状態で上方に突出可能なノックアウトピン（２２）が設けられている。そしてこのノックアウトピン（２２）によって、ダイ孔（２５）に配置された成形加工後の製品が突き上げられて、ダイ孔（２５）から排出されるようになっている。
【００４９】
この下金型（１１）が、そのダイ孔（２５）を上方に向けた状態で、鍛造加工装置（１）の下金型ベース（１２）に固定されている。
【００５０】
上金型（１５）は、パンチ（３）、パンチケース（４）、受圧板（５）、パンチホルダー（７）を基本的な構成要素として備えている。
【００５１】
図２〜５に示すようにパンチ（３）は、略円柱形状を有しており、先端面を構成する下端面（３１）が押圧加工面として形成されるとともに、基端面を構成する上端面（３２）が、受圧板（５）に接触支持されるように平坦面（水平面）に形成されている。
【００５２】
パンチ（３）の外周側面の上端部には、外方突出状に抜止め部（３６）が周方向に連続して一体に形成されている。さらにパンチ（３）における上端面（３２）と抜止め部（３６）の外周面との間には、面取り部（３７）が形成されている。
【００５３】
またパンチ（３）は例えば、ステンレス鋼、炭素鋼、超硬鋼等の材質によって構成されている。
【００５４】
図６，７に示すようにパンチケース（４）は、パンチ（３）を収容するパンチ保持孔（４５）を有している。このパンチ保持孔（４５）には、その上端部にパンチ（３）の抜止め部（３６）に対応して、凹段部（４５６）が周方向に連続して形成されており、パンチ（３）を適合状態に収容できるようになっている。
【００５５】
またパンチケース（４）の外周面上部には、外方突出状に抜止め部（４６）が周方向に連続して一体に形成されている。
【００５６】
そしてパンチケース（４）の保持孔（４５）にパンチ（３）を収容した状態では、パンチ保持孔（４５）における凹段部（４５６）の内周面がパンチ（３）の抜止め部（３６）の外周面に接触して位置規制されるとともに、下端部（４５１）の内周面がパンチ（３）の中間部外周面に接触して位置規制されることにより、パンチケース（４）に対しパンチ（３）の心出し（センタリング）が行われる。なおパンチ保持孔（４５）における上端部（４５６）および下端部（４５１）以外の領域（中間領域）の内周面は、パンチ（３）の外周面との間に隙間が形成されている。
【００５７】
またパンチ（３）における抜止め部（３６）の下端コーナ部が、パンチ保持孔（４５）における凹段部（４５６）の下端コーナ部に係合することによって、パンチ（３）がパンチケース（４）に対し下方に抜け出すのが防止される。
【００５８】
さらにパンチ（３）をパンチケース（４）に収容した状態では、後に詳述するようにパンチ（３）の上端面（３２）が、パンチケース（４）の上端面（４２）よりも低い位置に配置されるようになっている。
【００５９】
図３，４，８〜１１に示すように受圧板（５）は、分割可能な第１および第２分割体（５０１）（５０２）により構成されている。第１分割体（５０１）は、受圧板（５）の下端部（受圧面側）を構成するとともに、第２分割体（５０２）は、受圧板（５）の下端部を除く上側部を構成している。本実施形態において各分割体（５０１）（５０２）は例えば、ステンレス鋼、炭素鋼、超硬鋼等の材質によって構成されており通常、パンチ（３）と同じ材質が用いられる。
【００６０】
受圧板（５）は、受圧面を構成する下面（５１）が頂上となるような概略円錐台形状、すなわち下端部が上端部に比べて外径寸法が小さい概略円錐台形状に形成されており、外周面が軸心（Ｃ）に対し傾斜するようにテーパ面（５３）として形成されている。
【００６１】
受圧板（５）の上端部外周には、外方突出状に抜止め部（５６）が周方向に連続して一体に形成されている。なおこの抜止め部（５６）の外向きの外周面は軸心（Ｃ）に対し平行に配置されている。
【００６２】
受圧板（５）の下端部外周には、Ｌ字状切り欠くように形成された凹段部（５７）が周方向に連続して形成されている。この凹段部（５７）は、軸心（Ｃ）に対し直交する直交面（５７１）と、軸心（Ｃ）に対し平行な外周平行面（５７３）とを有している。
【００６３】
受圧板（５）の下面（５１）には、受圧板（５）に対し軸心（Ｃ）を一致させるように、円形のパンチ支持台部（６）が下方（軸心方向）に突出するように一体に形成されている。このパンチ支持台部（６）の外周面は、内側に傾斜する傾斜面として構成されて、面取り部（６７）を構成している。
【００６４】
パンチ支持台部（６）の下面（頂上面）によって構成されるパンチ支持面（６１）は、後に詳述するように、外径寸法がパンチ上端面（３２）の外径寸法以下に設定されている。
【００６５】
図１２に示すようにパンチホルダー（７）は、受圧板（５）の外周形状に倣って形成された保持孔（７５）を有しており、この保持孔（７５）に受圧板（５）を適合状態に収容できるようになっている。
【００６６】
すなわち保持孔（７５）の内周テーパ面（７３）は、その軸心（Ｃ）に対する傾斜角度が、受圧板（５）の外周テーパ面（５３）における軸心（Ｃ）に対する傾斜角度に一致するように形成されている。
【００６７】
さらに保持孔（７５）の上端部内周には、受圧板（５）の抜止め部（５６）に対応して、凹段部（７５６）が周方向に連続して形成されている。なおこの凹段部（７５６）の内向きの内周面は軸心（Ｃ）に対し平行に配置されている。
【００６８】
また保持孔（７５）の中間部内周には、受圧板（５）の凹段部（５７）に対応して、内方突出状に凸段部（７７）が形成されている。この凸段部（７７）は、軸心（Ｃ）に対し直交する直交面（７７２）と、軸心（Ｃ）に対し平行な内周平行面（７７３）とを有している。
【００６９】
さらに保持孔（７５）の下部内周には、パンチケース（４）の抜止め部（４６）に対応して、凹段部（７５７）が周方向に連続して形成されている。
【００７０】
またパンチホルダー（７）の外周面における中間部には、取付用段部（７６）が周方向に連続して形成されている。
【００７１】
そして図３，４に示すようにパンチ（３）を収容したパンチケース（４）が、パンチホルダー（７）の保持孔（７５）内に収容されて、さらにそのパンチ（３）の上から、受圧板（５）の第１分割体（５０１）および第２分割体（５０２）が順次収容される。
【００７２】
この収容状態では、パンチケース（４）における抜止め部（４６）の下端コーナ部が、パンチホルダー（７）の保持孔内周面における凹段部（７５７）の下端コーナ部に係合することによって、パンチケース（４）がパンチホルダー（７）に対し下方に抜け出すのが防止される。さらにパンチケース（４）の外周面（抜止め部４６の外周面も含む）が、パンチホルダー（７）における保持孔（７５）の内周面（凹段部７５７の内周面も含む）に接触して位置規制されることにより、パンチホルダー（７）に対しパンチケース（４）のセンタリングが行われる。
【００７３】
また受圧板（５）の第１分割体（５０１）の上面に第２分割体（５０２）が接触配置された状態で、その受圧板（５）のパンチ支持面（６１）が、パンチ（３）の上端面（３２）に接触配置されるとともに、受圧板（５）の下面（５１）におけるパンチ支持台部（６）の外側領域が、パンチケース（４）の上端面（４２）に接触配置されている。
【００７４】
ここで本実施形態においては、パンチケース（４）の上端面（４２）とパンチ（３）の上端面（３２）との高さ位置の差が、受圧板下面（５１）におけるパンチ支持台部（６）の高さ（Ｈ）に相当している。
【００７５】
また受圧板（５）の下端部における凹段部（５７）の外周平行面（５７３）が、パンチホルダー（７）の保持孔中間部における凸段部（７７）の内周平行面（７７３）に接触して位置規制されるとともに、受圧板（５）の上端部における抜止め部（５６）の外向き外周面が、パンチホルダー（７）の保持孔上端部における凹段部（７５６）の内向き内周面に接触して位置規制されることにより、パンチホルダー（７）に対し受圧板（５）のセンタリングが行われる。
【００７６】
以上の構成の上金型（１５）が図２に示すように、ファスニングホルダー（８１）およびファスニングリング（８２）を介して、鍛造加工装置（１）の上金型ベース（１６）に固定される。
【００７７】
すなわちファスニングホルダー（８１）は、上金型（１５）のパンチホルダー（７）を挿通可能な取付孔（８１５）を有し、外周部上端には、外方突出状にフランジ（８１６）が形成されている。そしてこのフランジ（８１６）が、上金型ベース（１６）に固着具（８５）を介して固定されている。
【００７８】
ファスニングリング（８２）は、パンチホルダー（７）の下側部を挿通可能な取付孔（８２５）を有している。さらにファスニングリング（８２）は、ファスニングホルダー（８１）の外周部に配置される外周壁部（８２３）を有している。
【００７９】
そしてファスニングリング（８２）の取付孔（８２５）内に、上金型（１５）におけるパンチホルダー（７）の下側部が上方から挿通配置される。さらにそのパンチホルダー（７）の上側部がファスニングホルダー（８１）の取付孔（８１５）内に下方から挿通し、その状態で、ファスニングリング（８２）の内周ねじ部が、パンチホルダー（７）の外周ねじ部に締結されることにより、上金型（１５）がファスニングホルダー（８１）およびファスニングリング（８２）を介して、金型ベース（１６）に固定される。この固定状態では、パンチホルダー（７）における外周面の取付用段部（７６）が、ファスニングリング（８２）の取付孔周縁部に係合することにより、上金型（１５）が下方に抜け出すのが防止される。
【００８０】
なお図２において、符号（８３）は、インサートプレートであって、上金型（１５）の上面に対応して上金型ベース（１６）に設けられている。
【００８１】
以上の構成の鍛造加工装置（１）における上金型（１５）の組付手順は以下の通りである。まずパンチケース（４）にパンチ（３）を収容した後、そのパンチケース（４）を、パンチホルダー（７）にセットし、さらにそのパンチホルダー（７）に受圧板（５）をセットして、上金型（１５）を組み付ける。
【００８２】
続いてその上金型（１５）を、ファスニングリング（８２）を介して、上金型ベース（１６）のファスニングホルダー（８１）に固定する。
【００８３】
以上の構成の鍛造加工装置（１）においては、上金型（１５）が昇降駆動自在に構成されており、下金型（１１）のダイ孔（２５）内にワーク（Ｗ）がセットされた状態で、上金型ベース（１６）を上金型（１５）と共に降下させることにより、上金型（１５）のパンチ（３）をダイ孔（２５）内のワーク（Ｗ）に押圧して、ワーク（Ｗ）を塑性変形させて所定の形状に鍛造加工する。
【００８４】
ここで本実施形態の鍛造加工装置（１）によって得られる成形加工品（Ｗ１）は、図１５，１６に示すように、上端が開放され、かつ下端が閉塞された有底筒状のカップ形状に形成される。
【００８５】
本実施形態において、鍛造用素材（ワークＷ）の材質は、従来より周知の各種の金属を使用できるが例えば、アルミニウム、鉄、銅、真鍮、マグネシウムや、それらの合金等を好適に用いることができる。特に軽量化を目的とする場合には、アルミニウムや、その合金を用いるのが良く例えば、合金記号が２０００、３０００、４０００、５０００、６０００、７０００系の合金等を好適に用いることができる。
【００８６】
ワーク素材用の丸棒材の製法は、連続鋳造加工、押出加工、圧延加工等のいずれの加工方法も使用することができる。さらにアルミニウムやその合金の丸棒材を使用する場合には、連続鋳造加工された丸棒材は、入手し易く安価であるため、好適に使用することができる。特にアルミニウム合金においては、気体加圧式ホットトップ鋳造法で連続鋳造された丸棒材（昭和電工株式会社製の「ＳＨＯＴＩＣ材（登録商標）」）は、優れた内部健全性を有し、結晶粒が微細であり、かつ、塑性加工による結晶粒の異方性がないため、摩擦抵抗部の抵抗効果を安定的に得ることができるので、より好適に使用することができる。
【００８７】
丸棒材は、所定の長さに切断したものを用い、必要に応じて焼きなまし処理を行った後、使用する。
【００８８】
またアルミニウム合金が連続鋳造された丸棒材においては予め、４８０〜５２０℃の温度で０．５〜４時間の均質化熱処理及び／又はその表面にピーリング加工処理を行うようにしても良い。
【００８９】
本実施形態において、鍛造加工を行う場合、温間鍛造では、金型に材料が焼き付くのを防止するために、金型に潤滑剤を塗布する。なお冷間鍛造では、型潤滑剤は使用しなくとも良い。
【００９０】
さらに潤滑剤を塗布する場合には、材料（被加工材）を潤滑剤の液中に浸漬して潤滑皮膜を被加工材に予め形成しておくのが好ましい。なお冷間鍛造では、燐酸皮膜潤滑処理を行うのが好ましい。
【００９１】
本実施形態において、熱間鍛造を行う場合、素材の温度を３００〜４５０℃、好ましくは３５０〜４５０℃に調整するのが良い。さらに温間鍛造を行う場合には、素材温度を３８０〜４６０℃、好ましくは４００〜４５０℃に調整するのが良い。すなわち素材温度が低過ぎる場合には、成形できなかったり、限界割れが発生する。逆に温度が高過ぎる場合には、膨れ等が生じるおそれがある。
【００９２】
なお熱間鍛造、温間鍛造では、金型への材料の焼き付きを防止するために、金型へも潤滑剤を塗布する。この塗布方法としては例えば、鍛造金型に直接スプレーにより潤滑剤を吹き付ける方法等を採用できる。
【００９３】
本実施形態において、鍛造加工装置（１）のパンチ（３）の荷重は１０〜４００トン（単位）に調整することができる。本発明の鍛造加工装置（１）は、後述するように特有の構造を有しているため、受圧板（５）に、磨耗による劣化凹部が発生するのを抑制することができる。従って、上記のように高い荷重で連続運転することが可能であり、加工性を向上させることができる。参考までに本実施形態の鍛造加工装置（１）は、１０〜５０ｓｐｍの速さで連続運転することができる。
【００９４】
また本実施形態の鍛造加工装置（１）によって鍛造加工されたカップ状製品（Ｗ１）は、強度及び耐摩耗性を付与するため、溶体化処理および時効処理することが好ましい。溶体化処理及び時効処理とは、所定の温度に加熱処理した後、焼入れを行い再度、所定の温度にて、所定時間保持する処理のことを言う。なお溶体化処理の温度は、４９０〜５００℃が好ましく、水中焼入れ後、１６０〜２１０℃（好ましくは１７０〜１９０℃）で、１〜８時間（好ましくは、３〜６時間）保持することにより、時効硬化させることができ、ＨＲＢ（ロックウェルＢスケール）７０〜８５程度の十分な硬度の鍛造品を得ることができる。
【００９５】
以上のように、本実施形態の鍛造加工装置（１）によれば、受圧板（５）の下面（５１）にパンチ支持台部（６）を形成するとともに、そのパンチ支持台部（６）のパンチ上端面（３２）と接触するパンチ支持面（６１）を、パンチ上端面（３２）よりも小さく形成しているため、以下に説明するように、受圧板（５）の磨耗劣化を減少させることができる。
【００９６】
すなわち、接触し合う２つの金属部材において接触方向に大きな力が作用する場合、２つの部材のうち対向面（接触面）が大きい部材に、応力が集中して作用する。詳述すると、対向面の大きい部材（大型部材）と、対向面の小さい部材（小型部材）とを互いに接触させて、接触方向に大きな力が作用すると、大型部材の対向面における小型部材の外周縁に対応する部分に応力が集中して作用する。
【００９７】
従って図１４に示す従来の鍛造加工装置のように、受圧板（５）のパンチ支持面（下面５１）が、パンチ上端面（３２）よりも大きい場合、パンチ打ち込み時の衝撃荷重は、既述したように対向面の大きい側の部材、つまり受圧板（５）側に多く作用するため、この衝撃荷重が繰り返し加わると、受圧板下面（５１）に磨耗による劣化凹部（９）が形成される。特にこの衝撃荷重は、受圧板下面（５１）におけるパンチ上端面（３２）の外周縁に対応する部分に集中して作用するため、受圧板下面（５１）には、パンチ上端面（３２）の外周縁に対応する部分が最も深く、内側に向かうに従って次第に浅くなるような劣化凹部（９）が形成される。このような劣化凹部（９）が受圧板下面（パンチ支持面）に形成されると、パンチ上端面（３２）を安定状態に支持できず、パンチ（３）の座りが悪くなり、プレス加工時にパンチ（３）にぐらつきや振れが発生し、加工精度が低下してしまう。従って、受圧板（５）を短い期間で頻繁に交換する必要があり、生産性の低下やコストの増大を招いてしまう。
【００９８】
そこで本実施形態の鍛造加工装置（１）においては図１３に示すように、受圧板（５）の下面（５１）にパンチ支持台部（６）を形成して、そのパンチ支持台部（６）の先端面（パンチ支持面６１）を、パンチ上端面（３２）よりも小さく形成しているため、パンチ打ち込み時の衝撃荷重は、パンチ上端面（３２）におけるパンチ支持面（６１）の外周縁に対応する部分に集中して作用するようになる。このため磨耗による劣化凹部（９）は、パンチ（３）の上端面（３２）に形成されるようになり、受圧板（５）に、磨耗による劣化凹部が形成されるのを確実に減少させることができる。従って受圧板（５）を長期間使用できて、交換頻度が少なくなり、生産性の向上およびコストの削減を図ることができる。
【００９９】
ここで本実施形態においては、受圧板（５）の磨耗劣化は抑制できるものの、パンチ上端面（３２）の磨耗劣化は発生する。ところが、パンチ（３）はその下端面（押圧加工面３１）が早期に磨耗劣化するため、本実施形態においては、パンチ上端面（３２）の磨耗劣化よりも、パンチ下端面（３１）の磨耗劣化が早く進行する。このため本実施形態においては、パンチ上端面（３２）の磨耗劣化がパンチ交換要因となることはなく、パンチ下端面（３１）の磨耗劣化がパンチ交換要因となる。従って本実施形態によるパンチ上端面（３２）の磨耗劣化が、パンチ（３）の寿命を低下させるような不具合が生じることはない。このように本実施形態では、パンチ上端面（３２）の磨耗劣化による悪影響を生じさせることなく、その上で上記したように受圧板（５）の磨耗劣化を減少させることができて、生産性の向上およびコストの削減を確実に図ることができる。
【０１００】
なお参考までに図１３に示すように、受圧板下面（５１）の磨耗劣化が少ない場合（本実施形態の場合）における受圧板（５）の交換スパンは、図１４に示すように、受圧板下面にパンチによる磨耗劣化が多く発生する場合（従来の場合）における受圧板の交換スパンに比較して、３〜４倍以上も長くでき、受圧板（５）の交換頻度を確実に減少させることができる。
【０１０１】
本実施形態においては、パンチ支持台部（６）におけるパンチ支持面（６１）の大きさを、パンチ（３）の上端面（３２）の大きさ以下に設定する必要があるが、中でも、パンチ支持面（６１）の大きさを、パンチ上端面（３２）の大きさよりも小さく設定する場合、つまりパンチ支持面（６１）の大きさとパンチ上端面（３２）の大きさとが等しいものを除き、パンチ上端面（３２）の外周縁を受圧板（５）に対し非接触状態に配置する場合には、受圧板下面（５１）の磨耗劣化を確実に抑制することができる。
【０１０２】
特に本実施形態においては、パンチ支持面（６１）およびパンチ上端面（３２）の内径差（半径差）を、０．１〜０．３ｍｍ、好ましくは０．１５〜０．２５ｍｍに設定して、パンチ支持面（６１）の外周縁をパンチ上端面（３２）の外周縁に対し０．１〜０．３ｍｍ内側、好ましくは０．１５〜０．２５ｍｍ内側に配置するのが好ましい。すなわち両面（６１）（３２）の内径差を、上記特定範囲内に設定する場合には、受圧板（５）の磨耗劣化をより確実に防止することができる。換言すれば、両面（６１）（３２）の内径差が小さ過ぎる場合には、受圧板（５）における磨耗劣化の抑制効果を十分に発揮できないおそれがある。逆に両面（６１）（３２）の内径差が大き過ぎる場合には、パンチ支持面（６１）、つまりパンチ支持台部（６）が小さくなり過ぎて、パンチ支持台部（６）が破損するおそれがある。
【０１０３】
なお本発明において、パンチ支持台部（６）の面取り部（６７）は、パンチ支持面（６１）の外周縁に含まれず当然、パンチ支持面（６１）にも含まれない。同様に、パンチ（３）の面取り部（３７）は、パンチ上端面（３２）の外周縁に含まれず当然、パンチ上端面（３２）にも含まれない。
【０１０４】
また本実施形態においては、パンチ支持面（６１）の面積がパンチ上端面（３２）の面積に対し０．１〜０．５％小さく、好ましくは０．２〜０．４％小さく形成するのが良い。すなわち上記の面積減少率が特定範囲内に設定される場合には、受圧板（５）の磨耗劣化を一層確実に防止することができる。換言すれば、上記の面積減少率が小さ過ぎる場合には、受圧板（５）における磨耗劣化の抑制効果を十分に発揮できないおそれがある。逆に上記の面積減少率が大き過ぎる場合には、パンチ支持台部（６）が小さくなり過ぎて破損するおそれがある。
【０１０５】
さらに本実施形態においては、パンチ支持台部（６）の高さ（Ｈ）を、０．１〜１．５ｍｍ、好ましくは０．１〜０．５ｍｍ、より好ましくは０．２〜０．４ｍｍに設定するのが良い。すなわちこの支持台部高さ（Ｈ）が特定範囲内に設定される場合には、受圧板（５）の磨耗劣化抑制効果を確実に得ることができる。換言すれば、支持台部高さ（Ｈ）が低過ぎる場合には、受圧板（５）の磨耗劣化抑制効果を確実に得ることができないおそれがある。逆に支持台部高さ（Ｈ）が高過ぎる場合には、パンチ支持台部（６）に衝撃荷重が集中して、パンチ支持台部（６）が破損するおそれがある。
【０１０６】
また本実施形態においては、受圧板（５）を、上方に向かうに従って外径が次第に大きくなる円錐台形状に形成しているため、パンチ打ち込み時の衝撃が受圧板（５）に加わった際に、その衝撃が、円錐台形状の受圧板（５）に沿って次第に広がりながら上方へ伝播していく。このため衝撃荷重を広範囲に均等に分散させることができ、衝撃荷重の局部集中に起因する不具合例えば、受圧板（５）の早期磨耗等を有効に防止することができる。
【０１０７】
さらに本実施形態においては、受圧板（５）の外周テーパ面（５３）における軸心（Ｃ）に対する傾斜角度を２０〜７０°、好ましくは３０〜６０°に設定するのが良い。すなわちこの傾斜角度を上記特定範囲内に設定する場合には、衝撃荷重を外径方向（水平方向）に効率良く分散させることができ、衝撃荷重の局部集中を回避することができる。換言すれば受圧板外周テーパ面（５３）の傾斜角度が小さ過ぎる場合には、衝撃荷重を広い範囲に分散できないおそれがある。逆に受圧板外周テーパ面（５３）の傾斜角度が大き過ぎる場合には、受圧板（５）が偏平な形状となり、衝撃荷重をスムーズに分散できないばかりか、荷重が中央に集中して受圧板（５）が早期に磨耗劣化するおそれがある。
【０１０８】
また本実施形態においては、受圧板（５）を、パンチ支持台部（６）を含む下端部によって構成される第１分割体（５０１）と、残りの上側部によって構成される第２分割体（５０２）とにより形成しているため、長期間の使用によって、パンチ支持台部（６）に磨耗による劣化凹部が形成されて、受圧板（５）の交換が必要となった場合には、受圧板（５）のうち、第１分割体（５０１）のみを交換して、第２分割体（５０２）は交換せずに引き続き使用することができる。従って磨耗劣化による部品交換時に、交換部位を少なくでき、コストの削減を図ることができる。
【０１０９】
なお本実施形態においては、受圧板（５）を２分割する場合を例に挙げて説明したが、それだけに限られず、本発明においては、受圧板を３つ以上の分割体によって構成するようにしても良い。要は分割体の一つが、受圧板におけるパンチ支持台部を含む部分によって構成されていれば良い。
【０１１０】
また本実施形態においては、パンチ支持台部（６）の外周面上端に面取り部（６７）を形成しているため、衝撃荷重が、パンチ支持台部（６）の外周部に集中するのを防止でき、その周辺の磨耗劣化を有効に防止することができる。
【０１１１】
さらに本実施形態においては、パンチ（３）の外周面上端にも面取り部（３７）を形成しているため、上記と同様に、衝撃荷重が、パンチ（３）の上端外周部に集中するのを防止でき、その周辺の磨耗劣化を確実に防止することができる。
【０１１２】
また本実施形態においては、受圧板（５）の下端部外周に、軸心（Ｃ）に対し平行な外周平行面（５７３）を有する凹段部（５７）を形成する一方、パンチホルダー（７）の保持孔（７５）に、軸心（Ｃ）に対し平行な内周平行面（７７３）を有する凸段部（７７）を形成して、受圧板（５）の外周平行面（５７３）をパンチホルダー（７）の内周平行面（７７３）に接触させつつ、凹段部（５７）に凸段部（７７）を嵌合することにより、受圧板（５）をパンチホルダー（７）に装着するものであるため、受圧板（５）の外周平行面（５７３）が、パンチホルダー（７）の内周平行面（７７３）に位置規制されることによって、受圧板（５）の下側のパンチホルダー（７）に対するセンタリングを確実に行うことができる。
【０１１３】
しかも本実施形態においては、受圧板（５）の上端部外周に、軸心（Ｃ）に対し平行な外向き外周面を有する抜止め部（５６）を形成する一方、パンチホルダー（７）の保持孔（７５）に、軸心（Ｃ）に対し平行な内向き内周面を有する凹段部（７５６）を形成して、受圧板（５）の抜止め部外周面を、パンチホルダー（７）の凹段部内周面に接触させつつ、受圧板（５）をパンチホルダー（７）に装着するものであるため、受圧板（５）の抜止め部外周面が、パンチホルダー（７）の凹段部内周面に位置規制されることによって、受圧板（５）の上側のパンチホルダー（７）に対するセンタリングも確実に行うことができる。
【０１１４】
このように受圧板（５）の上下でパンチホルダー（７）に対するセンタリングを正確に行うことができ、受圧板（５）の組付精度を向上できて、ひいては加工精度の向上および品質の向上を図ることができる。
【０１１５】
なお本実施形態において、受圧板（５）の外周テーパ面（５３）を、パンチホルダー（７）の内周テーパ面（７３）に接触させて、受圧板（５）をパンチホルダー（７）に対しセンタリングを行うことも可能であるが、その場合には、受圧板（５）の外周テーパ面（５３）と、パンチホルダー（７）の内周テーパ面（７３）との接触位置に位置ずれが生じて、受圧板（５）がパンチホルダー（７）に対して傾いて配置されることがある。こうして受圧板（５）が傾いたままパンチホルダー（７）に装着されると、受圧板（５）の一部のみがパンチ上端面（３２）に接触するようになるため、パンチ打ち込み時の衝撃荷重が、受圧板（５）の一部のみに集中し、受圧板（５）が劣化するおそれがある。
【０１１６】
従って本実施形態においては、受圧板（５）の外周テーパ面（５３）を、パンチホルダー（７）の内周テーパ面（７３）に接触させないのが好ましい。具体的には、受圧板（５）の外周テーパ面（５３）とパンチホルダー（７）の内周テーパ面（７３）との間に、０．２〜０．５ｍｍ、好ましくは０．３〜０．４ｍｍの隙間を形成するのが良い。すなわちこの隙間が狭過ぎる場合には、受圧板（５）の外周テーパ面（５３）がパンチホルダー（７）の内周テーパ面（７３）に接触係止して、受圧板（５）に傾きが生じて、上記の不具合が生じるおそれがある。逆に、上記隙間が広過ぎる場合には、上金型（１５）に空洞部が多くなり、上金型（１５）の強度を十分に確保できなくなるおそれがある。
【０１１７】
また本実施形態においては、受圧板（５）の外周テーパ面（５３）と、パンチホルダー（７）の内周テーパ面（７３）との間の隙間寸法に対し、受圧板（５）における外周平行面（５７３）の軸心方向の長さ（パンチホルダー７における内周平行面７７３の長さ）を２０倍以上、好ましくは２５倍以上に設定するのが良い。すなわち外周平行面（５７３）の軸心方向長さが短過ぎる場合には、パンチホルダー（７）の内周平行面（７７３）との接触面積を十分に確保できなくなり、受圧板（５）のパンチホルダー（７）に対する組付精度が低下するおそれがある。具体的には、外周平行面（５７３）の軸心方向長さを、２〜６ｍｍ、好ましくは３〜５ｍｍに設定するのが良い。
【０１１８】
本実施形態においては、受圧板（５）の外周平行面（５７３）と、パンチホルダー（７）の内周平行面（７７３）との間の隙間寸法（クリアランス）を、パンチ支持面（６１）の半径寸法とパンチ後端面（３２）の半径寸法との差よりも小さく設定するのが好ましい。すなわちこの場合には、受圧板（５）のパンチ（３）に対する位置合わせを精度良く行うことができ、パンチ支持面（６１）をパンチ後端面（３２）の内側に確実に接触させることができ、上記した受圧板（５）の磨耗抑制効果をより一層確実に得ることができる。具体的には、外周平行面（５７３）および内周平行面（７７３）間の隙間寸法を、０．０５〜０．２ｍｍ、好ましくは０．１〜０．１５ｍｍに設定するのが良い。
【０１１９】
また本実施形態においては、パンチ（３）をパンチケース（４）を介してパンチホルダー（７）に組み付けるようにしているため、パンチ（３）がパンチケース（４）によって拘束されることにより、パンチ（３）の振れを防止できて、加工精度および製品品質を一層向上させることができる。さらにパンチ打ち込み時に、パンチ（３）とダイ孔内周面間の隙間がパンチケース（４）によって密閉されて、密閉鍛造を行うことができる上、パンチケース（４）の下端面（４１）によって、鍛造加工品（Ｗ１）の周壁高さを正確に制御することができ、加工精度および製品品質をより向上させることができる。
【０１２０】
さらに本実施形態においては、パンチ（３）とパンチケース（４）とを別体に形成しているため、これらを一体に形成する場合と比較して、各部材（３）（４）に型応力を分散させることができ、耐摩耗性を向上できて延命化を図ることができる。
【０１２１】
なお上記実施形態においては、受圧板（５）として、円錐台形状のものを使用しているが、それだけに限られず、本発明においては図１７に示すように、外周面（５３）が軸心（Ｃ）に対し平行な円柱形状の受圧板（５）を用いることも可能である。
【０１２２】
また上記実施形態においては、受圧板（５）の下端部に、外周平行面（５７３）を形成するようにしているが、本発明において、外周平行面（５７３）の形成位置は特に限定されるものではなく、例えば外周平行面（５７３）を受圧板（５）の外周テーパ面（５３）における中間部や、上部に形成するようにしても良い。
【０１２３】
さらに上記実施形態においては、受圧板（５）の外周平行面（５７３）を、外周テーパ面（５３）よりも内側に凹ませた凹段部（５７）の一面（垂直面）によって形成するようにしているが、それだけに限られず、本発明においては、受圧板（５）の外周部の一部を、外周テーパ面（５３）よりも外側に突出させて、その突出部の一面（垂直面）によって、外周平行面を形成するようにしても良い。
【０１２４】
また上記実施形態においては、パンチケース（４）を介してパンチ（３）をパンチホルダー（７）に保持させるようにしているが、それだけに限られず、本発明においては、パンチケースを用いずに、パンチをパンチホルダーに保持させることにより、パンチケースを省略することも可能である。
【０１２５】
また上記実施形態においては、パンチ（３）の上端部が円柱形状のものを使用しているが、それだけに限られず、本発明においては、パンチの上端部形状が、上方に向かうに従って大径となる円錐台形状のものも使用することができる。この場合には、パンチ打ち込み時の衝撃の伝播方向は、パンチの円錐台部における外周テーパ面の傾斜方向（延長方向）となるため、衝撃の伝播をスムーズに行えるように、パンチ支持台部（６）と、パンチ円錐台部の外面延長線との間の水平距離を５ｍｍ以内に設定するのが良い。
【実施例】
【０１２６】
【表１】
2011251343.tif 000003
【０１２７】
＜実施例１＞
上記実施形態の鍛造加工装置（図２〜４参照）のダイセットに準拠してダイセットを作製した。すなわちダイ（２）として、ダイ孔（２５）の直径が３４ｍｍのものを準備した。パンチ（３）として、加工部（下端部）の直径が２９ｍｍ、受圧板側である上端面（３２）の直径が３４ｍｍのものを準備した。またパンチ（３）の材質は、炭素鋼である。
【０１２８】
受圧板（５）として、下方に向かうに従って小径となる略円錐台形状で、上下に２分割可能なものを準備した。この受圧板（５）においては、下端部外周に、軸心方向に平行な面（外周平行面５７３）と、軸心方向に直交する面（直交面５７１）とを有する凹段部（５７）を形成した。この凹段部（５７）における外周平行面（５７３）の軸心方向の長さを５ｍｍ、直交面（５７１）の径方向（水平方向）の長さを４８ｍｍに設定した。また受圧板（５）の下面（５１）は、直径４８ｍｍであり、外周テーパ面（５３）は、その軸心（Ｃ）に対する傾斜角度が５５°に調整されている。さらにこの受圧板（５）の下面（５１）には、直径３３．４ｍｍ、高さ０．２ｍｍのパンチ支持台部（６）を形成するとともに、そのパンチ支持台部（６）のパンチ支持面（６１）の直径を３３ｍｍに設定した。なお受圧板（５）の材質は、パンチと同様のものである。
【０１２９】
またパンチホルダー（７）としては、パンチケース（４）および受圧板（５）に外周形状に対応する保持孔（７５）を有するものを準備した。
【０１３０】
その他の構成は、上記実施形態と同様にして、ダイセットを組み付けた。そしてこのダイセットにおける受圧板（５）の位置決め精度（センタリング精度）を検査した。検査方法は、組み付けられた受圧板（５）における基準の中心位置からの位置ずれ量を測定し、その位置ずれ量が０．１５ｍｍ未満のものを「◎」、０．１５〜０．３ｍｍのものを「○」として判定した。その検査結果を表１に示す。
【０１３１】
またこのダイセットを、上記実施形態と同様の鍛造加工装置（１）に装着し、その装置（１）を用い、プレス荷重を９０トンに設定し、４０ｓｐｍの速さで、上記実施形態と同様に、アルミニウム合金製のワーク（Ｗ）に対し鍛造加工を行って、カップ形状鍛造加工製品を製造した。そしてこの鍛造加工が２００００回に達したところで、受圧板（５）の下面（５１）における磨耗状況を目視により観察し、磨耗状態を確認した。その結果を表１に示す。
【０１３２】
＜実施例２＞
受圧板（５）として、下端部外周に凹段部（５７）が形成されないものを準備し、それ以外は上記と同様にして、センタリング検査および磨耗確認を行った。
【０１３３】
＜比較例＞
受圧板（５）として、パンチ支持台部（６）が形成されず全域が平坦な下面（５１）を有し、かつ下端部外周に凹段部（５７）も形成されないものを準備し、それ以外は上記と同様にして、センタリング検査および磨耗確認を行った。
【０１３４】
＜評価＞
表１に示されるように実施例１，２のダイセットにおいては、受圧板の下面に、磨耗による劣化凹部は確認されなかった。これに対し比較例のダイセットにおいては、受圧板下面に、磨耗による劣化凹部が確認された。この劣化凹部は、パンチ上端面の外周縁部に対応する部分が深く、内側に向かうに従って次第に浅く形成されていた。
【０１３５】
従って本発明に関連した実施例のものでは、本発明の要旨を逸脱する比較例のもの比べて、受圧板の交換スパンを長くでき、交換頻度を減少させることができる。
【０１３６】
また実施例１のダイセットは、実施例２や比較例のものと比較して、受圧板のセンタリング精度が非常に高いものであった。
【０１３７】
なお実施例１，２のダイセットにおいては、パンチ上端面に外周縁部に沿って、磨耗による劣化凹部が確認された。もっとも、このパンチ上端面の磨耗劣化は、パンチ下端面（押圧加工面）の磨耗劣化に比べて非常に少ないものであった。
【産業上の利用可能性】
【０１３８】
この発明のプレス加工装置は、鍛造加工用に好適に用いることができる。
【符号の説明】
【０１３９】
１…鍛造加工装置
１５…上金型（可動側金型）
２…ダイ
３…パンチ
３２…上端面（基端面）
３７…面取り部
４…パンチケース
４２…上端面（基端面）
５…受圧板
５０１，５０２…分割体
５１…下面（受圧面）
５３…外周テーパ面（外周面）
５７…凹段部
５７３…外周平行面
６…パンチ支持台部
６１…パンチ支持面
６７…面取り部
７…パンチホルダー
７３…内周テーパ面（内周面）
７５…保持孔
７７…凸段部
７７３…内周平行面
Ｗ…ワーク
【図１】
2011251343.tif 000004
【図２】
2011251343.tif 000005
【図３】
2011251343.tif 000006
【図４】
2011251343.tif 000007
【図５】
2011251343.tif 000008
【図６】
2011251343.tif 000009
【図７】
2011251343.tif 000010
【図８】
2011251343.tif 000011
【図９】
2011251343.tif 000012
【図１０】
2011251343.tif 000013
【図１１】
2011251343.tif 000014
【図１２】
2011251343.tif 000015
【図１３】
2011251343.tif 000016
【図１４】
2011251343.tif 000017
【図１５】
2011251343.tif 000018
【図１６】
2011251343.tif 000019
【図１７】
2011251343.tif 000020